(57)【特許請求の範囲】
【請求項１】
受信信号強度を一定周期でチェックし、今回チェックした信号強度がスケルチ開放レベル以上で、かつ前回チェックしたレベル以上である場合、その都度、計測時間が前記一定周期より長いタイマをスタート状態にリセットする第１の手段と、
この第１の手段で制御される前記タイマが計測時間を満了したかを判別する第２の手段と、
受信信号強度がスケルチ開放レベルを下まわった状態かを判別する第３の手段と、
この第３の手段で受信信号強度がスケルチ開放レベルを下まわった状態が判別され、同時に前記第２の手段でタイマの計測時間満了が判別されたときにスケルチを閉じ、その他の状態のときにスケルチを開く第４の手段と
を具備することを特徴とする無線機のスケルチ制御方法。
【発明の詳細な説明】
【０００１】
【発明の属する技術分野】
本発明は、無線機のスケルチ制御方法に関する。
【０００２】
【従来の技術】
無線機にはスケルチ回路が設けられる。このスケルチ回路は、受信信号が弱いとき、あるいは受信信号がないときに受信音声をミュートして（スケルチを閉じて）スピーカから雑音が聞こえないようにする回路である。
【０００３】
図６は、従来の無線機受信信号強度とマイコンスケルチ制御の関係を示す。このように、従来は、受信信号強度が無線機に設定された「スケルチ開放レベル−ヒステリシス」を一瞬でも下回ると、マイコンがスケルチを閉じて受信音声をミュートするようにしている。
【０００４】
【発明が解決しようとする課題】
しかしながら、上記のように受信信号強度が一瞬でもスケルチ開放レベルを下回るとスケルチを閉じ受信音声をミュートする方法では、車載用無線機等で移動しながら交信相手の音声を聞いているとき、建物の影等周囲の状況によって生じるフェージングにより一瞬信号強度がスケルチ開放レベルを下回ると、そのたびにマイコンが音声をミュートしてしまうので、交信が成り立たない（相手が何を言っているのか解らない）、もしくは頻繁に音声が途切れて不快であるという問題点があった。
【０００５】
本発明は上記の点に鑑みなされたもので、受信品質を向上させることができる無線機のスケルチ制御方法を提供することを目的とする。
【０００６】
【課題を解決するための手段】
上記課題を解決し上記目的を達成するために、本発明の無線機のスケルチ制御方法は、受信信号強度を一定周期でチェックし、今回チェックした信号強度がスケルチ開放レベル以上で、かつ前回チェックしたレベル以上である場合、その都度、計測時間が前記一定周期より長いタイマをスタート状態にリセットする第１の手段と、この第１の手段で制御される前記タイマが計測時間を満了したかを判別する第２の手段と、受信信号強度がスケルチ開放レベルを下まわった状態かを判別する第３の手段と、この第３の手段で受信信号強度がスケルチ開放レベルを下まわった状態が判別され、同時に前記第２の手段でタイマの計測時間満了が判別されたときにスケルチを閉じ、その他の状態のときにスケルチを開く第４の手段とを具備することを特徴とする。
【０００７】
【発明の実施の形態】
次に添付図面を参照して本発明による無線機のスケルチ制御方法の実施の形態を詳細に説明する。図２は本発明のスケルチ制御方法の実施の形態を備えた無線機を示すブロック図である。このブロック図において、１１はアンテナ、１２は受信回路であり、この受信回路１２により受信信号の選択と増幅、検波が行われる。そして、検波により受信回路１２から出力される音声信号はフィルタ１３、ミュートスイッチ１４および増幅器１５を介してスピーカ１６に供給され、音声に変換される。また、受信信号強度を検出するための信号、具体的にはスケルチ検波電圧およびＲＳＳＩ（ＦＭリミッタ飽和状態表示電圧）のどちらか、または両方が受信回路１２から出力され、この信号がＡ／Ｄ変換器１７でＡ／Ｄ変換された上でＣＰＵ（マイコン）１８に供給される。そして、供給された信号から受信信号強度を検出して、ＣＰＵ１８により前記ミュートスイッチ１４を制御してスケルチ制御が実施される。ＣＰＵ１８には、図示しないがスケルチクローズ（Ｃｌｏｓｅ）タイマが設けられる。さらに、ＣＰＵ１８には、後述する前回の信号レベルを記憶するメモリ１９が接続される。
【０００８】
上記無線機においては、スケルチ制御がＣＰＵ１８により次のようにして行われる。
（１）図１はスケルチ制御方法を示すフローチャートである。図３は、受信信号強度の変化と、ＣＰＵ１８がそれをチェックするタイミングの関係を示す図である。ＣＰＵ１８は、図１のステップＳ１で示すようにＡ／Ｄ変換器１７の出力値を取り込んで、図３のＡ点からＭ点に示すように、ある一定周期（例えば３ｍＳｅｃ）で受信信号強度をチェックする。
（２）そして、今回チェックした信号強度Ｘがスケルチ開放レベルＺ以上で（図１のステップＳ２）、かつ前回チェックしたレベルＹ以上である場合（図１のステップＳ３）、その都度、ＣＰＵ１８内に設けられた図示しないスケルチクローズタイマ（計測時間は前記一定周期より長く、例えば５ｍＳｅｃ）をスタート状態にリセットする（図１のステップＳ４）。
（３）したがって、図３では、
Ａ点：上記条件を満足するので、スケルチクローズタイマをスタート状態にリセットする。
Ｂ点：上記条件を満足するので、スケルチクローズタイマをスタート状態にリセットする。
Ｃ点：上記条件を満足するので、スケルチクローズタイマをスタート状態にリセットする。
Ｄ点：上記条件を満足するので、スケルチクローズタイマをスタート状態にリセットする。
Ｅ点：Ｄ点のレベルを下回っているので、スケルチクローズタイマをスタート状態にリセットしない。
Ｆ点：Ｅ点のレベルを下回っているので、スケルチクローズタイマをスタート状態にリセットしない。
Ｇ点：スケルチ開放レベルを下回っているので、スケルチクローズタイマをスタート状態にリセットしない。
Ｈ点：上記条件を満足するので、スケルチクローズタイマをスタート状態にリセットする。
Ｉ点：上記条件を満足するので、スケルチクローズタイマをスタート状態にリセットする。
Ｊ点：上記条件を満足するので、スケルチクローズタイマをスタート状態にリセットする。
Ｋ点：上記条件を満足するので、スケルチクローズタイマをスタート状態にリセットする。
Ｌ点：Ｋ点のレベルを下回っているので、スケルチクローズタイマをスタート状態にリセットしない。
Ｍ点：Ｌ点のレベルを下回っているので、スケルチクローズタイマをスタート状態にリセットしない。
（４）一方、ＣＰＵ１８は、受信信号強度Ｘがスケルチ開放レベルＺを下まわった状態かを判別する（図１のステップＳ２）。
（５）さらに、ＣＰＵ１８は、スケルチクローズタイマの計測時間が満了したかを判別する（図１のステップＳ５）。
（６）そして、ステップＳ２で受信信号強度Ｘがスケルチ開放レベルＺを下まわったことが判別され、同時にスケルチクローズタイマの計測時間が満了したことがステップＳ５で判別されたら、ＣＰＵ１８はミュートスイッチ１４をオフにしてスケルチを閉じ（図１のステップＳ６）、受信音声をミュートする。
（７）その他の状態、すなわちスケルチクローズタイマが時間を計測中であったり、受信信号強度Ｘがスケルチ開放レベルＺ以上のときは、ＣＰＵ１８はミュートスイッチ１４をオンしてスケルチを開き（図１のステップＳ７）、受信音声をスピーカ１６から再生させる。
【０００９】
なお、図１において、ステップＳ８は今回の信号レベルＸを前回の信号レベルＹとしてメモリ１９に記憶させるステップである。
【００１０】
このように、上記の無線機では、受信信号の強度とタイマを用いてスケルチを制御する。したがって、次のような効果を得ることができる。
（１）受信信号強度が一瞬スケルチ開放レベルを下回ってもスケルチクローズタイマの動作でスケルチが閉じないので、相手の音声を聞き取ることができる。
（２）図４に示すように、信号レベルがスケルチ開放レベル近辺のとき、スケルチクローズタイマの動作でスケルチのバタツキを防止できる。
（３）図５に示すように、受信信号レベルが下がり始めたときからスケルチクローズタイマが時間を計測するので、信号レベルが緩やかにスケルチ開放レベルを下回ったとき、即座にスケルチを閉じることができる。
（４）上記（１）〜（３）により受信品質を向上させることができる。
【００１１】
【発明の効果】
以上詳細に説明したように本発明の無線機のスケルチ制御方法によれば、受信信号の強度とタイマによってスケルチを制御することにより、受信品質を向上させることができる。
【図面の簡単な説明】
【図１】本発明による無線機のスケルチ制御方法の実施の形態を示すフローチャート。
【図２】本発明による無線機のスケルチ制御方法の実施の形態を備えた無線機を示すブロック図。
【図３】本発明による無線機のスケルチ制御方法の実施の形態を説明するための波形図。
【図４】本発明による無線機のスケルチ制御方法の効果を説明するための波形図。
【図５】本発明による無線機のスケルチ制御方法の効果を説明するための波形図。
【図６】従来の無線機受信信号強度とマイコンスケルチ制御の関係を示す波形図。
【符号の説明】
１４  ミュートスイッチ
１８  ＣＰＵ
１９  メモリ
【図１】
0003571657.tif 000002
【図２】
0003571657.tif 000003
【図３】
0003571657.tif 000004
【図４】
0003571657.tif 000005
【図５】
0003571657.tif 000006
【図６】
0003571657.tif 000007